(57)【要約】      （修正有）【課題】開錠されにくく構造が簡単で低コストなシリンダー錠のピッキング防止器具の提供。【解決手段】ドア内側のシリンダー錠に円筒形の開錠防止器具１をはめ込み、条溝３で開錠用のサムターンを固定し動かなくすることによってピッキングを阻止し、ドアの外側についてはドアノブを完全に覆い隠して、錠穴に対するピッキングを不能とすることによって外部からのピッキングを完全に防止する。【選択図】図１
2004218398.tif 000002
【特許請求の範囲】
【請求項１】
ドア内側のシリンダー錠に円筒形の開錠防止器具（図１）をはめ込み、条溝で開錠用のサムターンを固定し動かなくすることによってピッキングを阻止し、ドアの外側についてはドアノブを完全に覆い隠して、錠穴に対するピッキングを不能とすることによって外部からのピッキングを完全に防止する器具。
【発明の詳細な説明】
【０００１】
【発明の属する技術分野】
この発明は、近年国内各地で頻発している外国人窃盗団によるピッキング窃盗を未然に防止する器具に関するものである。
【０００２】
【従来の技術】
従来のシリンダー錠は、市販のピッキング用解錠器具を使用して、１０秒前後の短時間で簡単に解錠され、多額の金品が盗難にあい、その被害額は年間数十億円に達し、更に被害は年々増加する傾向にあるにも関わらず的確な防止策が確立されていなかった。
【０００３】
【発明が解決しようとする課題】
これまでのシリンダー錠は次のような欠点があった。
従来のシリンダー錠は、インテグラル錠、チューブラ錠、円筒錠等が有るが、いずれの錠も簡単に解錠されやすく、外国人窃盗団のピッキングに対して全く無力無防備であり、簡単に解錠されるため、各ロックメーカーも全くお手上げの状態となっていた。
全国のマンション、アパート、一戸建て、会社、学校、官公庁共ピッキング被害が波及し、国民は戦々恐々となっている。
シリンダー錠に代わる磁気カード方式、バーコード方式、暗証番号方式、指紋照合方式等のロックもあるが、数十万円ないし数百万円の経費を必要とする為に一般的ではない。
全国の錠前の８０％はシリンダー錠である。本発明は以上のような欠点を無くす為になされたものである。
以下、本発明の実施の形態について説明する。
【０００４】
【課題を解決する為の手段】
本器具の形状は、室内側用としてステンレス又はアルミの直径５６ミリ長さ３５ミリの円筒形（図１）で、円筒の一方は塞がれており（図１−２）中央に長さ２５ミリ幅３ミリの条溝（図２−３）が開いている。
円筒の内側には、厚さ５ミリのスポンジ（図３−４）を円形に貼りつけている。室外用としての器具はステンレス（厚さ１ミリ）の直径５６ミリ長さ３５ミリの円筒形（図１６、１７）で蝶番によって二方に開き（図２２、２３）ドア側の裏面は２４ミリの空間（図２２−１２）を開け、ドアノブの表面（図２３）は７０％ずつ重複するように半円の蓋が付いている。
下部は１３ミリ×３５ミリの合わせ板（図２３−８）（磁石付）を付け中央に直径８ミリの穴（図２４−９）があり、ダイヤル錠（図２４−１１）を装着するようにしている。
円筒の内側には、厚さ３ミリのスポンジ（図２２−４）を円形に貼りつけている。
これはドアノブに密着しなくてもよく緩衝のためのものである。
本発明は、以上の構成よりなるシリンダー錠のピッキング防止器具である。
【０００５】
【発明の実施の形態】
以下、本発明の実施の形態について説明する。
室内用としてのこのピッキング防止器具は、シリンダー錠のドアの内側のノブに、この防止器具を（図１）に被せてはめ込み、中央の条溝（図１−２）を施錠した状態のサムターン（図７）にはめ込むか、または、サムターンに条溝をはめ込み直角に回せば、器具の内側に貼られたスポンジがドアノブに密着して、外部からの鍵やピッキング器具を使用しての解錠行為に対して、サムターンが動かず解錠行為は完全に阻止される。
円筒形の一つでプッシュボタン形式の円筒錠（図９）は、器具の蓋部分がノブに密着して、プッシュボタン（図９−６）が飛び出さないために解錠はできないので完璧である。
チューブラ錠（図１３）のように、ノブの中央が凹んでいるものは、その形態にあわせて器具の中央を凹ませるとよい。（図１４）
装着すれば（図１５）のようになり、右に直角に回せば解錠は不能となり、これも完璧である。
室外用の器具は、蝶番（図２２−７）によって、両側に開いた状態（図２２、２３）で室外のドダノブに装着（図２１）すれば、前面のステンレスの重複部分（図２３）が深く重なり合い、下部のダイヤル錠装着用の部分（図２２−１０）に磁石が組み込まれているため密着して、釣り下げ穴（図２１−８）にダイヤル錠（図２４−１１）を装着することによって、ドアノブ前方からのピッキングは不能となる。
仮定として、ピッキング犯は先ず前面の一枚目の重複部分を時間をかけてこじ開けても、更に二枚目の重複部分があり、一枚目の残り部分に引っかかり、もたもたする間に時間が経過し、逃走することになる。
将来はダイヤル錠組み込みに発展させると良い。
【０００６】
【発明の効果】
このピッキング防止器具は、構造が非常に簡単低コストで、しかも効果は抜群である。
室内側の器具は夜間や昼間の在宅時に使用し、室外用の器具は、外出の際にドアノブの外側から装着し、下部の接合部分（磁石付）の穴にダイヤル錠をかけておけば、ピッキングから免れることができる。
今回、試作品を作成し、専門家に種々実行させた結果、ピッキングはほぼ完全に防止することができた。
今回、このピッキング防止器具の発明が全国で利用できれば、今や日本の社会問題ともなっている、外国人によるピッキング窃盗被害を食い止め得る緊急かつ重大な事例で、一刻も早い商品化と販売が望まれる。
尚、販売にあたっては室内用と室外用の二つをセットして販売すれば良いと思われる。
【特許請求の範囲】
室内用の器具の特徴は、円筒の中央の条溝でサムターンを固定することによって、ピッキングを完璧に防止する点は、画期的なアイデアである。
この二種類の器具は構造が簡単で小児でもたやすく操作でき、しかも低価格で生産できるため、全国のシーリング錠を使用している各家庭では急速に普及するものと思われる。
室外用の器具は、鍵穴を完全にステンレス板でカバーして、ピッキングを阻止するといった犯人の意表を突いた点は、ロックメーカーの考えの及ばないアイデアであると思われる。
この器具は、まだ若干の改良余地を残しているが、ダイヤル錠のシステムを器具に組み込むことによって完成度は高くなる。
【図面の簡単な説明】
【図１】本発明の内室内用器具の立体図である。
（インテグラル錠及び円筒錠対応）
【図２】室内用器具の正面図である。
【図３】室内用器具の背面図である。
【図４】室内用器具の側面図である。
【図５】室内用器具の断面図である。
【図６】インテグラル錠の側面図である。
【図７】インテグラル錠に室内用器具を装着した図である。
【図８】ピッキング防止器具を装着した図である。
【図９】円筒錠（プッシュボタン式）の側面図である。
【図１０】円筒錠に防止器具を装着した側面図である。
【図１１】円筒錠に防止器具を装着した正面図である。
【図１２】チューブラ錠の側面図である。
【図１３】チューブラ錠対応器具の立体図である。
【図１４】チューブラ錠対応器具の正面図である。
【図１５】チューブラ錠に器具を装着した側面図である。
【図１６】室外用器具の立体図（表）である。
【図１７】室外用器具の立体図（裏）である。
【図１８】室外用器具の展開図である。
【図１９】室外用器具の表側正面図である。
【図２０】室外用器具の裏側正面図である。
【図２１】室外用器具を室外ドアノブに装着した側面図である。
【図２２】室外用器具を展開した状態（裏面）である。
【図２３】室外用器具を展開した状態（正面）である。
【図２４】室外用器具をドアノブに装着し、更にダイヤル錠を釣り下げた
側面図である。
【符号の説明】
１  器具本体（ステンレス）
２  器具蓋部
３  中央の条溝
４  硬質スポンジ
５  サムターン
６  プッシュボタン
７  蝶番
８  ダイヤル錠釣り下げ穴
９  鍵差し込み口カバー
１０  重複部分
１１  ダイヤル錠
１２  空間
【図１】
2004218398.tif 000003
【図２】
2004218398.tif 000004
【図３】
2004218398.tif 000005
【図４】
2004218398.tif 000006
【図５】
2004218398.tif 000007
【図６】
2004218398.tif 000008
【図７】
2004218398.tif 000009
【図８】
2004218398.tif 000010
【図９】
2004218398.tif 000011
【図１０】
2004218398.tif 000012
【図１１】
2004218398.tif 000013
【図１２】
2004218398.tif 000014
【図１３】
2004218398.tif 000015
【図１４】
2004218398.tif 000016
【図１５】
2004218398.tif 000017
【図１６】
2004218398.tif 000018
【図１７】
2004218398.tif 000019
【図１８】
2004218398.tif 000020
【図１９】
2004218398.tif 000021
【図２０】
2004218398.tif 000022
【図２１】
2004218398.tif 000023
【手続補正書】
【提出日】平成15年7月3日(2003.7.3)
【手続補正１】
【補正対象書類名】明細書
【補正対象項目名】全文
【補正方法】変更
【補正の内容】
【特許請求の範囲】
【請求項１】ドア内側のシリンダー錠に円筒形の開錠防止器具（図１）をはめ込み．条溝で開錠用のサムターンを固定し動かなくすることによってピッキングを阻止し，ドアの外側についてはドアノブを完全に覆い隠して鍵穴に対するピッキングを不能とすることによって外部からのピッキングを完全に防止する器具。
【発明の詳細な説明】
【０００１】
【発明の属する技術分野】
この発明は，近年国内各地で頻発している外国人窃盗団によるピッキング窃盗を未然に防止する器具に関するものである。
【０００２】
【従来の技術】
従来のシリンダー錠は市販のピッキング用開錠器具を使用して，１０秒前後の短時間で簡単に開錠され，多額の金品が盗難に合い，その被害額は年間数十億円に達し，更に被害は年々増加する傾向にあるにも関わらず的確な防止策が確立されていなかった。
【０００３】
【発明が解決しようとする課題】
これまでのシリンダー錠は次のような欠点があった．従来のシリンダー錠は，インテグラル錠．チューブラ錠．円筒錠等が有るが．いずれの錠も簡単に開錠されやすく．外国人窃盗団のピッキングに対して全く無力無防備であり．簡単に開錠されるため．各ロックメーカーも全くお手上げの状態となっていた。
全国のマンション．アパート．一戸建て．会社．学校．官公庁共ピッキグ被害が波及し．国民は戦々恐々となっている．
シリンダー錠に代わる磁気カード方式．バーコード方式．暗証番号方式指紋照合方式等のロックもあるが．数万円〜数十万円の経費を必要とする為に一般的ではない。
全国の錠前の８０％はシリンダー錠である．本発明は以上のような欠点を無くすためになされたものである。
以下本発明の実施の形態について説明する。
【０００４】
【課題を解決するための手段】
本器具の形状は．室内側用としてステンレス又はアルミの直径５０ミリ長さ３５ミリの円筒形（図１）で．円筒の一方は塞がれており（図１−２）中央に長さ２５ミリ幅３ミリの条溝（図２−３）が開いている。
円筒の内側には．厚さ５ミリのスポンジ（図３−４）を円形にはりつけている。
室外用としての器具はステンレス（厚さ１ミリ）の直径５０ミリ長さ３５ミリの円筒形（図１６．１７）で蝶番によって二方に開き（図２２．２３）ドア側の裏面は直径２４ミリの円形空間（図２２−１２）を開け．ドアノブの表面（図２３）は７０％ずつ重複するように半円の蓋がついている．  下部は１３ミリ×３５ミリの合わせ板（図２３−８）（磁石付）を付け中央に直径８ミリの穴（図２４−９）があり．ダイヤル錠（図２４−９）があり．ダイヤル錠（図２４−１１）を装着するようにしている．
円筒の内側には厚さ３ミリのスポンジ（図２２−４）を円形に貼りつけている。
これはドアノブに密着しなくともよく緩衝のためのものである．
本発明は．以上の構成よりなるシリンダー錠のピッキング防止器具である。
【０００５】
【発明の実施の形態】
以下．本発明の実施の形態について説明する。
室内用としてのピッキング防止器具は．シリンダー錠のドアの内側のノブに．この防止器具を（図１）に被せてはめ込み．中央の条溝（図１−２）を施錠した状態のサムターン（図７）にはめこむか．又はサムターンに条溝をはめ込み直角に回せば．器具の内側に貼られたスポンジがドアノブに密着して．外部からの鍵やピッキング器具を使用しての開錠行為に対して．サムターンが動かず開錠行為は完全に阻止される。
円筒形の一つでプッシュボタン形式の円筒錠（図９）は．器具の蓋部分がノブに密着して．プッシュボタン（図９−６）が飛び出さないために解錠はできないので完璧である。
チューブラ錠（図１３）のように．ノブの中央が凹んでいるものは．その形態にあわせて器具の中央を内に凹ませるとよい．（図１４）
装着すれば（図１５）のようになり．右に直角に回せば開錠は不能となりこれも完璧である。
室外用の器具は．蝶番（図２２−７）によって．両側に開いた状態（図２２．２３）で室外のドアノブに装着（図２１）すれば．全面のステンレスの重複部分（図２３）が深く重なり合い．下部のダイヤル錠装着用の部分（図２２−１０）に磁石が組み込まれているため密着して．釣り下げ穴（図２１−８）にダイヤル錠（図２４−１１）を装着することによって，ドアノブ前方からのピッキングは不能となる。
仮定として．ピッキング犯は先ず全面の一枚目の重複部分を時間をかけてこじ開けても．更に二枚目の重複部分があり．一枚目の残り部分に引っかかり．もたもたする間に時間が経過し．逃走することになる。
将来はダイヤル錠組み込みに発展させるとよい。
【０００６】
【発明の効果】
このピッキング防止器具は．構造が非常に簡単低コストで．しかも効果は抜群である。
室内側の器具は夜間や昼間の在宅時に使用し．室外用の器具は外出の際にドアノブの外側から装着し．下部の接合部分（磁石付）の穴にダイヤル錠をかけておけば．ピッキングから免れることができる。
今回．試作品を作成し．専門家に種々実験させた結果．ピッキングは略完全に防止することができた。
今回．このピッキング防止器具の発明が全国で利用できれば，今や日本の社会問題となっている．外国人によるピッキング窃盗被害を食い止め得る緊急かつ重大な事例で．一刻も早い商品化と販売が望まれる。
尚．販売あたっては室内用と室外用との二つをセットして販売すれば良い．更にドアノブ直径が３５ミリから４５ミリまで多種あるので．直径は大中小又は大小の数種を揃えるとよい。
【図面の簡単な説明】
【図１】室内用器具の立体図である（インテグラル錠及び円筒錠対応）
【図２】室内用器具の正面図である
【図３】室内用器具の背面図である
【図４】室内用器具の側面図である
【図５】室内用器具の断面図である
【図６】インテグラル錠の側面図である
【図７】インテグラル錠に室内用器具を装着した図である
【図８】ピッキング防止器具を装着した図である
【図９】円筒錠（プッシュボタン式）の側面図である
【図１０】円筒錠に防止器具を装着した側面図である
【図１１】円筒錠に防止器具を装着した正面図である
【図１２】チューブラ錠の側面図である
【図１３】チューブラ錠対応器具の立体図である
【図１４】チューブラ錠対応器具の正面図である
【図１５】チューブラ錠に器具を装着した側面図である
【図１６】室外用器具の立体図（表）である
【図１７】室外用器具の立体図（裏）である
【図１８】室外用器具の展開図である
【図１９】室外用器具の表側正面図である
【図２０】室外用器具の裏側正面図である
【図２１】室外用器具を室外ドアノブに装着した側面図である
【図２２】室外用器具を展開した状態（裏面）である
【図２３】室外用器具を展開した状態（正面）である
【図２４】室外用器具をドアノブに装着し．更にダヤル錠を釣り下げた側面図である
【符号の説明】
１  器具本体（ステンレス）
２  器具蓋部
３  中央の条溝
４  硬質スポンジ
５  サムターン
６  プッシュボタン
７  蝶番
８  ダイヤル錠釣り下げ穴
９  鍵差し込み口カバー
１０  重複部分
１１  ダイヤル錠
１２  空間


【手続補正２】
【補正対象書類名】図面
【補正対象項目名】図２２
【補正方法】追加
【補正の内容】
【図２２】
2004218398.tif 000024
【手続補正３】
【補正対象書類名】図面
【補正対象項目名】図２３
【補正方法】追加
【補正の内容】
【図２３】
2004218398.tif 000025
【手続補正４】
【補正対象書類名】図面
【補正対象項目名】図２４
【補正方法】追加
【補正の内容】
【図２４】
2004218398.tif 000026